Podtech/llm-jp-corpus-v4-ja_patent huggingface dataset:
(57)【要約】      （修正有）【課題】冷暖房機を使用する部屋からの放熱量の低減を図るために、ガラスとプラスチックフィルムの間に空気断熱層を形成し、ガラス窓やガラス戸の省エネプラスチックフィルムを提供する。【解決手段】ガラス窓６やガラス戸の額縁にスチールシートを貼り付け、他方プラスチックフィルム２にはマグネットシート１を貼り付け磁力で額縁にプラスチックフィルムを密着させることによりガラスとプラスチックフィルムの間に空気断熱層を形成させガラスからの放熱量の低減を図る。【選択図】図１
0003120581.tif 000002
【実用新案登録請求の範囲】
【請求項１】
ガラス窓やガラス戸の額縁にスチールシートあるいはマグネットシートを貼り付け、プラスチックフィルムの周囲には額縁に貼り付けた当該シートに合わせてマグネットシートを貼り付け当該額縁とプラスチックフィルムをマグネットを介して密着させることによりガラスとプラスチックフィルムの間に空気断熱層を形成する省エネプラスチックフィルム。
【請求項２】
プラスチックフィルムに襞を付けることを特徴とした請求項１記載の省エネプラスチックフィルム。
【請求項３】
ガラス窓あるいはガラス戸に取付けられた当該省エネプラスチックフィルムを巻きとるための巻き取り機を備えたことを特徴とする請求項1記載の省エネプラスチックフィルム。
【考案の詳細な説明】
【技術分野】
【０００１】
本考案は、プラスチックフィルムをガラス窓やガラス戸の額縁にマグネットシートおよびスチールシートを介して密着させることによりガラスとプラスチックフィルムの間に空気断熱層を形成し、ガラスを通して室内からの放散される熱量の低減を図る省エネプラスチックフィルムに関する。
【背景技術】
【０００２】
室内からの放熱量削減のための日照調整断熱フィルムやペアガラスを使用することにより家庭や商業ビルにおける冷暖房機の省エネ対策が実施されてはいるが、未だ一般に普及していない。
【考案の開示】
【考案が解決しようとする課題】
【０００３】
省エネを地球温暖化防止対策として効果を上げるにはその規模の拡大が重要であり、冷暖房の省エネをその対策とするには全国的な普及がポイントでありそのためには省エネプラスチックフィルム取付けに要する費用の削減が課題となる。
【課題を解決するための手段】
【０００４】
この課題を解決するための請求項１の考案は、ガラス窓あるいはガラス戸の額縁にスチールシートあるいはマグネットシートを貼り付けておき、当該シートに合わせてプラスチックフィルムの外周にマグネットシートあるいはスチールシートを貼り付け磁力で当該額縁にプラスチックフィルムを密着させることによりガラスとプラスチックフィルムの間に空気断熱層を形成させて、室内からの放熱量の低減を可能にする。
【０００５】
また、請求項２の考案は、あらかじめプラスチックフィルムに襞を付けておくことによりプラスチックフィルムとマグネットシートの熱膨張差によるプラスチックフィルムの不均一な撓みの防止を可能にする。
【０００６】
また、請求項３の考案は、ガラス窓あるいはガラス戸の上部にプラスチックフィルム巻き取り機を設置することにより、室内に新しい空気を入れたり人が出入りするとき容易に省エネプラスチックフィルムを巻き上げることが可能となる。
【考案の効果】
【０００７】
本考案により、既存のガラス窓およびガラス戸に取付けることが出来、必要時にプラスチックフィルムをマグネットシートと共に巻き上げることが可能であり、しかも特殊な製造技術を要しないため製造コストの低減が可能となる。
【考案を実施するための最良の形態】
【０００８】
本考案に係わる省エネプラスチックフィルム１０は図1に示す通りアルミ額縁５の全周にスチールシート３を貼り付けプラスチックフィルム２にはマグネットシート１を貼り付けて当該額縁５とプラスチックフィルム２を密着させてガラス６とプラスチックフィルム２の間に断熱空気層を形成する。
【０００９】
また、省エネプラスチックフィルム１０お上部の壁に巻き取り機４を設置することにより、窓開放時に省エネプラスチックフィルム１０をアルミ額縁５から取り外すことが可能となる。
【図面の簡単な説明】
【００１０】
【図１】本考案に係わる省エネプラスチックフィルムの外形図である。
【符号の説明】
【００１１】
１  マグネットシート
２  プラスチックフィルム
３  スチールシート
４  巻き取り機
５  アルミ額縁
６  ガラス
１０  省エネプラスチックフィルム
【図１】
0003120581.tif 000003
【手続補正書】
【提出日】平成18年1月30日(2006.1.30)
【手続補正１】
【補正対象書類名】実用新案登録請求の範囲
【補正対象項目名】請求項２
【補正方法】変更
【補正の内容】
【請求項２】
プラスチックフィルムにプラスチックバーを等ピッチで取付けることによりフィルムの形状を維持することを特徴とした請求項１記載の省エネプラスチックフィルム。
【手続補正２】
【補正対象書類名】明細書
【補正対象項目名】０００５
【補正方法】変更
【補正の内容】
【０００５】  また、請求項２の考案は、プラスチックフィルム幅に合わせた長さのプラスチックバーをプラスチックフィルムに等間隔で取付けることによりプラスチックフィルムの皺の発生を防止することが可能となる。
【手続補正３】
【補正対象書類名】明細書
【補正対象項目名】図２
【補正方法】追加
【補正の内容】
【図２】
プラスチックフィルムにプラスチックバーを取付けた説明図である。
【手続補正４】
【補正対象書類名】図面
【補正対象項目名】図２
【補正方法】追加
【補正の内容】
【図２】
0003120581.tif 000004
(57)【要約】      （修正有） 【課題】移動及び取扱いが容易である。【解決手段】固定ブロック内部に取り付けたジャッキを作動させる事によりジャッキの下部に一体に成っているキャスター部分が下に作動する事により、固定ブロックが同時に持ち上げられる事で、楽に人力で移動が可能である為、機械の使用料や、燃料費などや、経費の削減や、自然破壊などの削減にもなる。【選択図】図１
0003120583.tif 000002
【実用新案登録請求の範囲】
【請求項１】
ブロック内部にジャッキ,キャスターが付いている移動可能なブロック構造物。
【考案の詳細な説明】
【技術分野】
【０００１】
本考案は、固定ブロック本体の内部に、ジャッキと,キャスタ-が一体となっている固定用ブロックで有る。
【０００２】
固定物の、常時移動を必要とする場合などで、人力での移動が楽に出来る、構造物である。
【０００３】
ジャッキや、キャスタ-を、重量物、対応型に変える事で、固定ブロック本体の重さや、大きさを変える事が出来る。
【背景技術】
【０００４】
風当たりの強い場所などで、吹き飛ばされそうな構造物への固定するブロックは、移動がむずかしく、不便であった。
【０００５】
港などで台風が来る時などに、船を固定する場合、船の周りに固定ブロックを設置する場合、固定ブロックをクレーンなどで、移動したり、元へ戻したり、不便であった。
【考案の開示】
【考案が解決しようとする課題】
【０００６】
従来の固定ブロックは、機械の力でしか、移動する事が出来なかった。
【０００７】
機械を調達する時間や、機械の使用料の削減、機械から排出される排気ガスなど、環境破壊などの削減になる。
【課題を解決するための手段】
【０００８】
図１の示す様に本考案の移動式固定ブロックは、大きさ、重さに対して、人力で動かせない場合でも、埋め込みインサート６へ、けん引金具を取り付けする事によって、けん引用フックが取り付けられた自家用車などでの移動が可能である
【０００９】
図２に示すように、本考案の移動式固定用ブロック２の、内部にジャッキ１及びキャスター５が埋め込まれている、また移動する際には、ジャッキ１を上げる為に、固定用ブロック側面の挿入口１０からジャッキ回転軸１１にハンドル４を接続してハンドル４を回転する事により、ジャッキ１が固定用ブロック２を持ち上げる事が出来る、さらに持ち上げられた固定用ブロック２は、下部に取り付けられたキャスター５により定めた方向に、楽に人力で自由な移動が可能である。
【考案の効果】
【００１０】
本考案の移動式固定用ブロックは、固定を必要とする構造物に見合った、重さや,大きさを変えて作成する事が可能である。
【００１１】
人力でも移動が可能で有り、機械を使用する必要がない為に、排気ガス等も出ない分、幾らかは、大気汚染をふせぐ事が出来る。
【００１２】
港などで、台風接近などに伴い、船を固定する場合、船の前方へ固定ブロックを設置した場合、台風通過後に、その固定ブロックを移動するのにクレーンなどを用いて移動しなければならない為、船を出すのが不便であったが、本考案の移動式固定ブロックで有れば、人力でも可能なため、何時でも出し入れが、楽に出来る。
【００１３】
本考案の移動式固定用ブロックの上部に有る、穴に合うサイズのテントを作成し、固定ブロックに固定し、ロープなどで、上部に有る固定金具に縛れば、移動の際、テントを解体せずに、そのまま人力で移動できる。
【００１４】
野外駐車場の入り口など、両サイドへ固定ブロックを設置し、ワイヤ-などを引っ張り、駐車場を管理している所などで、固定ブロック上部の穴を利用し、パラソルを固定すれば、駐車場の管理人が休める陰も出来る。
【００１５】
本考案の移動式固定用ブロックは、脚付きホイストクレーン、移動式固定ブロックを一体化で作成すれば、荷物を持ちながら移動する事も可能であり、又、広い敷地などで、そのクレーン本体も定めた方向に移動可能なクレーンになる。
【図面の簡単な説明】
【００１６】
【図１】本考案の移動式固定用ブロック図
【図２】コンクリートと動力部分と関連の詳細図
【符号の説明】
【００１７】
１．ジャッキ本体
２．固定ブロック本体（コンクリート）
３．ジャッキ固定用鉄板
４．ハンドル
５．キャスター
６．けん引金具取り付け用埋め込みインサート
７．固定用金具
８．多様物差込穴
９．多様物差込穴用  排水パイプ  
１０．ハンドル挿入口
１１．ジャッキ回転軸
【図１】
0003120583.tif 000003
【図２】
0003120583.tif 000004
(57)【要約】【課題】挟みと挟み解除が簡単にでき、ファスナー及びそれに係る品物の寿命を長くするクリップを提供する。【解決手段】クリップの先（４）に透孔を設けクリップの挟み部分（２）の内側に弾力性のある部材を設けたことを特徴とする。【選択図】図１
0003120566.tif 000002
【実用新案登録請求の範囲】
【請求項１】
支え台と挟持部の内側にスライダーを挟み付けるように設けられ着脱することによって繰り返し利用可能であることを特徴とするスライダーカバークリップ。
【請求項２】
前記スライダーカバークリップの挟持部は、スライダーの引き手取り付け部が挟持内部に収まるように設定されており確実に固定されることを特徴とする請求項１に記載のスライダーカバークリップ。
【請求項３】
前記スライダーカバークリップの挟持部は引き手の小さいスライダー及び引き手の破損したスライダーの場合でもスライダーを挟持し引き手を付ける透孔ができることでファスナーの開閉を楽に可能にすることを特徴とする１〜２いずれかに記載のスライダーカバークリップ。
【請求項４】
前記スライダーカバークリップの支え台はスライダーよりも多少大きくすることにより挟持したときのスライダーの安定性が確保できることを特徴とする請求項１〜３いずれかに記載のスライダーカバークリップ。
【請求項５】
前記スライダーカバークリップは先端に透孔があり複数開口部を設けることによりリング及びストラップ等の引き手を自在に取り付けられることが可能であることを特徴とする請求項１〜４いずれかに記載のスライダーカバークリップ。
【請求項６】
前記スライダーカバークリップの先端の透孔はファスナーの開閉時に当該外部材との間に空間を保てる位置する程度に設定されていることを特徴とする請求項１〜５のいずれかに記載のスライダーカバークリップ。
【考案の詳細な説明】
【技術分野】
【０００１】  本考案は、着脱できるファスナー用スライダーカバークリップに関するものである。
【背景技術】
【０００２】  従来のジッパー（スライドファスナー）はスライダーを移動させることにより一対の両テープの爪を交互に締結する留め具でスライダーの本体に連結してある引き手によって開閉される。【０００３】  スライダーの引き手は小さい物、又引き手が破損した場合スライダーはリング等が取り付けられるものは引き手を付けたり困難な場合、ファスナー自体の取り替えの修繕による方法が主でした。
【考案の開示】
【考案が解決しようとする課題】
【０００４】  これは次のような欠点があった。
ファスナーのスライダーの引き手は小さい物が有り、引きにくく指から逃げる事がある。又、引き手の破損時には引き手取り付け部にリング等付けられない場合、ファスナー（スライダー）部分が良好でもファスナー全体の取り替えの修繕を余儀なくされる。【０００５】  本考案は、この欠点の課題を解決するためになされたものである。
【課題を解決するための手段】
【０００６】  本考案は、クリップ本体の先端に透孔を複数備え広い支え台とスライダーを挟持部により固定できることを特徴とするスライダーカバークリップ。【０００７】  前記スライダーカバークリップの先端の透孔は開口部が複数備えられていれば好ましい。複数あればリング、ストラップ等引き手を所望の位置に適宜位置を変更することができる。【０００８】  前記スライダーカバークリップは挟持部より支え台を大きくすることによりスライダーを安定させることができ挟持部の内面に弾力性部材を設けられていることが好ましい。【０００９】  前記スライダーカバークリップはファスナー本体を挟持部に弾力性部材を設けることにより固定される効果が高まりスライダーからの逃げを防止でき確実にスライダーの機能を回復できる。
【考案の効果】
【００１０】  本考案を使用することによって簡単にスライダーをクリップで挟む事が出来、革ジャンパーやバック等ファスナー修繕が高価なもの、健常者に限らずストラップ等引き手の形状を変えることによって入院患者や老人等身体の不自由な人が使用することもできる。なお、クリップの形状は（装飾ネール）等を着脱するとお洒落なスライダーにも変える事も出来るのでアクセサリーにもなる。又引き手の透孔にストラップ等取り付けられるので装飾物で飾る事が出きる。
【考案を実施するための最良の形態】
【００１１】  以下、本考案の実施形態を図１〜図６に基づいて説明する。
図１はスライダーカバークリップを示している。このスライダーカバークリップは互いに連結された部材で挟持部外側１、内側２、支え台３、透孔４を具備している。【００１２】  前記部材の挟持部外側１，内側２はスライダーの引き手の取り付け具を全体に挟む形で前後に曲線を描きスライダーの引き手取り付け部を収容できる空間で形成されるようにしている。【００１３】  更に前記部材の支え台は透孔を頂点になす型になっており透孔にリング及びストラップ等引き手を取り付けてもスライダーの移動が可能になり、他物に引っ掛かって傷めることがないようにしてある。【００１４】  図６の断面図で示すようにこのスライダーカバークリップは引き手が困難であるスライダーを連結された部材外側１，内側２によって支え台に挟持し透孔が先端に有することによって引き手の取り付け具が備えられ開閉可能な形ができる。【００１５】  前記部材内側２は内面に弾力性部材と形成されたクリップで曲線を描く形である。この部材内側２はスライダーを挟んだ状態でも後方に傾斜面を残すことで完全に固定した状態であることを示している。【００１６】  図４はスライダーカバークリップを開放した状態で小さな昆虫を思わせ閉じた状態でも外観が好ましくしてある。【００１７】  前記のスライダーカバークリップの形状、材質は特に限定されず連結されたスライダー本体を挟持し、透孔にリング等引き手を取り付け可動しても破損しない十分な強度を有していればよい。【００１８】  透孔はリング、ストラップ等を取り付けることにより引き手の形を適宜変更し楽な形でスライダーを移動可能にできる。
本考案は以上のような構造で、これを使用するときは、カバークリップの挟みにより固定する。又、クリップ式なので他に利用する場合挟み解除がしやすい。
【図面の簡単な説明】
【００１９】
【図１】  本考案の正面図である。
【図２】  本考案の側面図である。
【図３】  本考案のＡ−Ａ線断面図である。
【図４】  本考案の挟み解除の斜視図である。
【図５】  本考案のクリップに破損したスライダーを挟持した正面図である。
【図６】  図５のスライダー挟持を示す断面図である。
【符号の説明】
【００２０】  １    クリップ（外側）
２    クリップ（内側）
３    支え台
４    透孔（引き手取り付け部）
５    弾力性部材
【図１】
0003120566.tif 000003
【図２】
0003120566.tif 000004
【図３】
0003120566.tif 000005
【図４】
0003120566.tif 000006
【図５】
0003120566.tif 000007
【図６】
0003120566.tif 000008
(57)【要約】【課題】整理箱に収容整理された板状物を一々取出すことなく整理箱ごと梱包できるようにすることと、整理箱それ自体を梱包材としてそのまま利用可能とする。【解決手段】一側面に間口を開口させ、この間口を通じて書籍などの方形板状物を本立て状に並列に収容する方形立方状の整理箱において、前記整理箱は、前記書籍の他、ＣＤ、ＭＤなど各種板状物の収容サイズに適合する少なくとも間口のみを夫々共通幅に形成し、かつ夫々を独立分離させた板状物の種類ごとのダンボール紙製の箱体の組み合わせからなることを特徴とする【選択図】図１
0003120564.tif 000002
【実用新案登録請求の範囲】
【請求項１】
一側面に間口を開口させ、この間口を通じて書籍などの方形板状物を本立て状に並列に収容する方形立方状の整理箱において、
前記整理箱は、前記書籍の他、ＣＤ、ＭＤなど各種板状物の収容サイズに適合する少なくとも間口のみを夫々共通幅に形成し、かつ夫々を独立分離させた板状物の種類ごとのダンボール紙製の箱体の組み合わせからなることを特徴とする書籍類の整理箱。
【請求項２】
箱体の間口の開口辺に、箱体の内側壁面に折り返し重合されるフラップを延設したことを特徴とする請求項１記載の書籍類の整理箱。
【考案の詳細な説明】
【技術分野】
【０００１】  本考案は、書籍やＣＤ、ＭＤなど外殻サイズの異なる各種板状物を本立状に夫々並列収容する種類ごとの箱体の組合せによって構成される整理箱の技術分野に属する。
【技術背景】
【０００２】  従来、書籍やＣＤ、ＭＤなどの板状物を種類ごとの箱体に本立状に並列収容して蔵書的に保有するようにした整理箱が知られているが、転勤転居時など輸送時には折角収容整理した多量の板状物を箱体から取出し、別途梱包せねばならぬ等、繁雑な作業を余儀なくされるという課題がある。
【考案の開示】
【考案が解決しようとする課題】
【０００３】  そこで本考案では、上記技術背景に基づきなされたものであり、整理箱に収容整理された板状物を一々取出すことなく整理箱ごと梱包できるようにすることと、整理箱それ自体を梱包材としてそのまま利用させることを目的とする。【０００４】  前述の課題を解決するために、本考案に係わる書籍類の整理箱は、実用新案登録請求の範囲の各請求項に記載の手段を採用する。
【課題を解決する為の手段】
【０００５】  即ち、請求項１では、一側面に間口を開口させ、この間口を通じて書籍などの方形板状物を本立て状に並列に収容する方形立方状の整理箱において、
前記整理箱は、前記書籍の他、ＣＤ、ＭＤなど各種板状物の収容サイズに適合する少なくとも間口のみを夫々共通幅に形成し、かつ夫々を独立分離させた板状物の種類ごとのダンボール紙製の箱体の組み合わせからなることを特徴とする。
【０００６】  また、請求項２では、請求項１記載の書籍類の整理箱において箱体の間口の開口辺に、箱体の内側壁面に折り返し重合されるフラップを延設したことを特徴とする。
【考案の効果】
【０００７】  請求項１によれば、箱体を横に並べたり、縦に積み上げて使い勝手良く設置できるのは勿論のこと、特に本考案では、各箱体の間口を夫々共通の間口幅で形成したため、各箱体の数個をその間口同志を互いに突き合わせて結束させることにより、各箱体内の板状物同志が互いに突き合う状態となって脱落しないため、転居時の輸送時などに板状物をわざわざ箱体から取り出す必要がなく、そのまま梱包に供することができる。更にまた、箱体そのものがダンボール紙製なので、特別な梱包材は不要となる効果がある。
【０００８】  併せて整理箱を折畳んで偏平化した状態で発注元などへの輸送可能となり、輸送費の低減に役立たせ得る。
【０００９】  さらに請求項２によれば、フラップを箱体の内壁に折返し重合させることにより、箱体の各側板を補強させ、ダンボール紙といえど箱体の充分な強度と保形作用を果させることができる。
【考案を実施するための最良の形態】
【００１０】  以下、本考案に係わる書籍類の整理箱を実施するための最良の形態を図面に基づいて説明する。
【実施例】
【００１１】  図１においてＡは整理箱の全体を指し、この整理箱Ａは、Ａ４版サイズの書類やファイルなどの板状物を並列収容する箱体Ａ１、ケースに入ったＣＤなどの板状物を並列収容する箱体Ａ２、同じくケースに入ったＭＤなどの板状物を並列収容する箱体Ａ３からなり、これらは何れも独立分離している。【００１２】  各箱体Ａ１、Ａ２、Ａ３は長手方向の一側面に間口１ａ、１ｂ、１ｃが開口形成されて、間口１ａ、１ｂ、１ｃを通じ本立状に並列収容される板状物の収容サイズ（縦、横辺）に適合する断面形状の横長立方体をなしている。【００１３】  前記間口１ａ、１ｂ、１ｃの各間口幅Ｌ１、Ｌ２、Ｌ３は、何れも共通寸法に形成されている。【００１４】  前記間口幅Ｌ１、Ｌ２、Ｌ３の寸法は本例では箱体Ａ１、Ａ２、Ａ３を共通の長さにしたことにより自ずと形成されている。【００１５】  各箱体Ａ１、Ａ２、Ａ３は比較的肉厚の折畳み、組立自在のダンボール紙製にて形成されている。【００１６】  また、箱体Ａ１、Ａ２、Ａ３は図４のように各間口１ａ、１ｂ、１ｃの開口辺に蓋兼用の折返し用のフラップ２が延設されている。【００１７】  実施例に示した整理箱Ａは、例えば図２のように任意の種類      箱体Ａ１、Ａ２、Ａ３、Ａ２…を横に並べて設置したり、図３のように縦方向に箱体Ａ１、Ａ２、Ａ３…を多段に積上げ状に設置することができる。【００１８】  引越時などには、図５のように大きい箱体Ａ１の間口１ａ、中，小の箱体Ａ２、Ａ３の間口１ｂ、１ｃを突き合て状に当接させ梱包することにより、板状物を落下させることがなく箱体を梱包材としてそのまま利用できる。
【産業上の利用可能性】  非板状物を収容させることも可能である。
【図面の簡単な説明】
【００１９】
【００２０】
【図１】整理箱の分解斜視図である。
【図２】横列設置使用の正面図である。
【図３】縦列設置使用の正面図である。
【図４】箱体の変形例の正面図である。
【図５】梱包状態の説明図である。
【符号の説明】
【００２１】  ２      フラップ
Ａ      整理箱
Ａ１    箱体（大）
Ａ２    箱体（中）
Ａ３    箱体（小）
Ｌ      間口
【図１】
0003120564.tif 000003
【図２】
0003120564.tif 000004
【図３】
0003120564.tif 000005
【図４】
0003120564.tif 000006
【図５】
0003120564.tif 000007
(57)【要約】【課題】水気をしぼった凍り豆腐を少ない油でさっぱりと焼くことができ、植物性たんぱく質である凍り豆腐にほどよい食感とまろやかさをもたせ、今風のいろいろな料理に肉のかわりに用いてヘルシー料理にできる外面が凹凸した凍り豆腐を提供する。【解決手段】凍り豆腐の外面に凹凸を設けたことを特徴とする外面が凹凸した凍り豆腐。【選択図】図１
0003120561.tif 000002
【実用新案登録請求の範囲】
【請求項１】
凍り豆腐の外面に凹凸を設けたことを特徴とする外面が凹凸した凍り豆腐。
【考案の詳細な説明】
【技術分野】
【０００１】  本考案は、水分を含ませ、水気をしぼった凍り豆腐をフライパンに油を熱し焼くとき、少ない油でさっぱりと焼き、植物性たんぱく質である凍り豆腐にほどよい食感とまろやかさをもたせ今風のいろいろな料理に肉のかわりに用いて、ヘルシー料理にするため、凍り豆腐の外面に凹凸を設けた外面が凹凸した凍り豆腐に関するものである。
【背景技術】
【０００２】  従来、凍り豆腐は、厚さ１センチ７ミリ位外面は平らで四角形をしており、一口大や、名刺大位等大小あり、主にしようゆ等で味付けした煮汁にそのまま入れ煮て食べる昔からの調理方法が一般に用いられており、小さく切るには、器に水を入れ水分を含ませて水気をしぼり、好みの大きさに切りそのまま煮汁に入れ煮て食べた。メーカーによっては、たっぷりと水分を含ませた凍り豆腐を電子レンジで芯までふわっと戻したあと取り出し、そのまま料理に使うと記載したものもあり、どのメーカーもそのまま煮汁や鍋に入れたり、そのまま煮汁で煮たあと料理に入れる等、調理例を記載していた。
【考案の開示】
【考案が解決しようとする課題】
【０００３】  そのために次のような問題点があった。
（イ）凍り豆腐は、しようゆ等で味付けした煮汁にそのまま入れ煮て食べる昔からの調理方法が主に用いられていたため、味も食べ方も昔風で若い人等食べようとしなかった。
（ロ）メーカーによっては、水分をたっぷり含ませた凍り豆腐を器に入れてラップをし、電子レンジでふわっと戻して取り出しそのまま料理に何でもＯＫと調理例が記載されたものもあり、スープやみそ汁に入れるとプルンとしてやわらかくとてもおいしいが、カレー、焼そば、チャンポン、ハンバーグ、サラダ等肉を使うことが多い今風のいろいろな料理に使うと、味のない豆腐の食感がつよく、ほどよい食感やまろやかさがないため、凍り豆腐を今風のいろいろな料理に十分生かすことができず、おいしく食べられなかったことで一般の利用も少なかった。
（ハ）水分を含ませ、水気をしぼった名刺大位の凍り豆腐１個を２つに切りフライパンにサラダ油を大さじ１入れ熱し焼いてみると、凍り豆腐の外面が平らなため下部全体がフライパンにふれてくっつきやすくなり、かえすと外面がはげ落ち少ない油できれいに焼けなかった。
（ニ）水分を含ませ、水気をしぼった名刺大位の凍り豆腐１個を２つに切りフライパンにサラダ油を大さじ２〜３入れ熱し焼いてみると、凍り豆腐の外面が平らなためそのまま油につかり、油をのこらず吸収しベトベトして油っぽくなり、料理に用いると余分な油をとりすぎる欠点となった。
本考案は、これらの問題点を解決するためになされたものである。
【課題を解決するための手段】
【０００４】  一口大、名刺大位等大小の大きさからなる凍り豆腐の外面に凹凸を設ける。以上を特徴とする外面が凹凸した凍り豆腐である。
【考案の効果】
【０００５】  凍り豆腐の外面に凹凸を設けたことで、フライパンとの間にすき間がたくさんでき、フライパンにふれる面を少なくして、くっつきを防ぎ、少量の油できれいによりヘルシーに凍り豆腐を焼くことができる。外面にほどよい食感と中はやわらかく、油っぽくなくさっぱりと焼くことで、余分な油のとりすぎを防ぐ。肉を使うことが多い今風のいろいろな料理に入れ調理すると、その料理の味によくなじみこれまでとちがったほどよい食感と今風のまろやかな味、風味がでて若い人にも好まれる味になり、とてもおいしくヘルシーに食べられる。ベトベトした油っぽさがなく、肉よりやわらかく歯の弱い高齢者の方も無理なく食べられ、やわらかいものばかりの限られた味の食事をするのでなく、今風のいろいろな料理に使うことで、いろんな味が楽しめバランスのとれた食事ができる。食生活の欧米化による肉、動物性たんぱく質、動物性脂肪のとりぎで、糖尿病や肥満者が急増する今、食べなれた味好きな料理をどれもこれもがまんするのでなく、ヘルシー食品である植物性たんぱく質の凍り豆腐を今風の料理に利用しヘルシーに食べられるようにすることで、食事の改善や予防、ダイエットにも役立てられる。油で焼く前に複合調味料の塩コショウを軽く全体にふり、味を調えて焼くとより風味もまし今風の肉を使ういろいろな料理にさらによくなじみ、ほどよい食感とまろやかな味の厚みがでて凍り豆腐を肉のかわりに使いヘルシー料理にしてとてもおいしく食べられ安価に作れる。
【考案を実施するための最良の形態】
【０００６】  以下、本考案の実施の形態について説明する。
（イ）一口大の凍り豆腐（１Ａ）と名刺大位の凍り豆腐（１Ｂ）外面に波形の凹凸（２）（２）を設ける。
本案は以上のような構造でこれを使用するときは、二人分の目安として、一口大の凍り豆腐（１Ａ）約１８ｇ、または名刺大位の凍り豆腐（１Ｂ）１個どちらかを器に水を入れ１分間位つけておき水分をよく含ませて取り出し水気をしぼる。一口大の凍り豆腐（１Ａ）、または名刺大位の凍り豆腐（１Ｂ）は２つ切りにして、どちらも軽く全体に塩コショウし味を調える。フライパンにサラダ油大さじ１を熱し、中火にしてかえしながら一口大の凍り豆腐（１Ａ）、または名刺大位の凍り豆腐（１Ｂ）を軽く色がつくまで焼き取り出す。そのまま、または食べる大きさに切り、カレー、焼そば、チャンポン、酢ぶた、サラダ等今風のいろいろな料理に肉のかわりに使い、煮込んだり、加えたり、まぜあわせたり、そえたり、あえたりしヘルシー料理にして食べる。肉１／２、本案１／２使い料理することもできる。
【実施例１】  図３図４に示すように一口大の凍り豆腐（１Ａ）名刺大位の凍り豆腐（１Ｂ）の外面を山形の凹凸（３）（３）にすることもできる。これにより、フライパンにふれる面をより少なくすることができ、油の吸収をさらにおさえて少量の油でよりヘルシーに焼くことができ、油をひかえたい糖尿病の方や、ダイエットしたい方によりヘルシーに料理に使うことができ、本案に肉の味を設けるとさらにおいしく食べられる。
【図面の簡単な説明】
【０００７】
【図１】  本考案の一口大の凍り豆腐の斜視図
【図２】  本考案の名刺大位の凍り豆腐の斜視図
【図３】  本考案の一口大の凍り豆腐の他の実施例を示す斜視図
【図４】  本考案の名刺大位の凍り豆腐の他の実施例を示す斜視図
【符号の説明】
【０００８】１Ａ  一口大の凍り豆腐
１Ｂ  名刺大位の凍り豆腐
２    波形の凹凸
３    山形の凹凸
【図１】
0003120561.tif 000003
【図２】
0003120561.tif 000004
【図３】
0003120561.tif 000005
【図４】
0003120561.tif 000006
(57)【要約】【課題】男子の老廃水について、排泄機構の取出しが容易なズボンを提供すること。【解決手段】ズボンの胴体部の最低点、すなわち二本の脚の開始部分であって、しかも身体の中心までチャックのエンドを延長して取り付け、さらに見かけは従来の短いチャックを装着しているかのように縫い目を見せかけて表現する。【選択図】図２
0003120568.tif 000002
【実用新案登録請求の範囲】
【請求項１】
ズボンの胴体部の最低点である二本の脚の開始部分の位置であって、しかも身体の中心点までチャックのエンドを延長して取り付け、さらに従来の長さの短いチャックを装着しているかのように縫い目を見せかけて表現したズボン。
【考案の詳細な説明】
【技術分野】
【０００１】この考案は男子が老廃水を排泄する際に、排泄機構の取り出しが容易なズボンにかかわるものである。
【背景技術】
【０００２】ズボンのチャックによる開口部をおのずと開こうとする位置までチャックのエンドを延長して取り付け、さらに見かけ上は従来の短いチャックを装着しているかのように縫い目を従来通りの長さに設定して表現した構成をもって目的を達成したい。
【考案の開示】
【考案が解決しようとする課題】
【０００３】従来のズボンは胴体前面の一部に限定して、短くチャックが装着をしてある。
したがって排泄機構を取り出そうとする際にタックのないズボンであると相応の困難をともなう。
この点に付き容易ならしめたい。
【課題を解決するための手段】
【０００４】胴体前面の一部に限定されたチャックのエンドを二本の脚の開始部分の位置、すなわちズボンの胴体部の最低点であって、さらに身体の中心まで、延長するならば一つの円筒が二つになる分岐点に位置するために両足の開き方によって開口がおのずと図られる作用をともない、取り出しが容易となる。
【考案の効果】
【０００５】簡単安直に排泄機構の取り出しが容易なズボンを提供することができる。
【考案を実施するための最良の形態】
【０００６】タックつきのズボンといえども短く取り付けられたチャックよりもエンドを延長したものの方が抜群の使用感である。
【実施例】
【０００７】デザイン上の違和感のないようチャックのカバーは従来のとおりに設計するべきであり、そのための使用上の難しさも認められない。
さらに制作についても特筆をすべき困難は発生しない。
【産業上の利用可能性】
【０００８】価格の予想として、製作原価は従来とほとんど変わらず変化はないと思われる。
【図面の簡単な説明】
【０００９】
【図１】本考案の正面図。
【図２】本考案の底面図。
【符号の説明】
１  ズボン          ２  チャック
３  縫い目
【図１】
0003120568.tif 000003
【図２】
0003120568.tif 000004
(57)【要約】【課題】  長期保存が可能で創造的な花束を提供する。【解決手段】  針金入のリボン部材で花弁や茎葉を構成し、それを組合せることによってこの課題を解決する。【選択図】図１
0003120567.tif 000002
【実用新案登録請求の範囲】
【請求項１】
針金入リボンによって構成される花弁部材，葉部材，茎部材，ビーズ製の雌蕊部材の内、少くとも複数個の各部材を組合せて構成したことを特徴とする装飾用花束。
【考案の詳細な説明】
【技術分野】
【０００１】  本考案は各種催し物や外出時等に用いる装飾用花束に関する。
【背景技術】
【０００２】  従来は生花で花束を作り花嫁のブーケとしたり生花で装飾用の花束を製作していた。
【考案の開示】
【考案が解決しようとする課題】
【０００３】  しかし、生花を用いて花束を構成するのは美的感覚は満足されるが、切花である生花は寿命が短く特に夏場はすぐ萎れるため長持ちしなかった。
【課題を解決するための手段】
【０００４】  そこで花束の美的な感覚を生かし且長期間保存することが出来、又製作の楽しみや形の大小，色の変化等を巧みに応用して新しい花束を製作しようとするものである。【０００５】  幅の広いリボン，幅の狭いリボン、又生地の厚いものや薄いものを適宜組合せて配色も考慮し、曲線や直線で部材を作り、これらを組合せて花束状のものを構成する。各部材の色，形，大きさ等や組合せ方によって花束の形はいろいろに構成されることが出来、製作する人の個性や感性によってその製作品には天然の生花の花束とは又異なる芸術的な意味での創造的な意味での花束が出来る。
【考案の効果】
【０００６】  繊維を素材とする針金入リボン部材によって構成される花束は長期保存が可能であり、前記したごとく部材のリボンも色，材質，形状等が多種多彩で且これらを用いて作成した部材もいろいろなものが製作でき、これら部材を組合わせた花束は個性のある創造的で且長期保存も出来るものとなり有益なものとなる。
【考案を実施するための最良の形態】
【０００７】  本考案に係る花束１は図１に示すようにいろいろな形状の複数の針金入のリボンで作った花弁部材２や葉部材３を花束状に構成する。又４は茎を示す。場合によって図２に示すごとく花の種類によっては花弁部材６の中心部分にビーズより構成される雄蕊又は雌蕊部材５を設けて構成してもよい。
【図面の簡単な説明】
【０００８】
【図１】  本考案の花束を示す説明図である。
【図２】  本考案の花束の花の中心部を示す説明図である。
【符号の説明】
【０００９】１………花束
２………花弁部材
３………葉部材
４………茎
５………ビーズ製雌蕊部材
６………花弁部材
【図１】
0003120567.tif 000003
【図２】
0003120567.tif 000004
(57)【要約】      （修正有）【課題】安価で取り扱い易い省エネ額縁付シートを提供する。【解決手段】額縁の片面にプラスチックシートを、その裏面にパッキンを貼り付けるだけの額縁付プラスチックシートをマグネットでアルミサッシに取付けるだけの省エネ額縁付プラスチックシートにより滞っている暖房機器使用時の省エネ普及の促進を図ることが可能となる。【選択図】図１
0003120527.tif 000002
【実用新案登録請求の範囲】
【請求項１】
本考案は、額縁の片面にプラスチックシートを貼り付け、その裏面には柔軟性のあるシール用パッキンを貼り付けることにより断熱空気層を形成させガラス窓やガラス戸への取付けをマグネットにより行うことを特徴とする省エネ額縁付プラスチックシート。
【考案の詳細な説明】
【技術分野】
【０００１】
本考案は、額縁に貼られたプラスチックシートをガラス窓やガラス戸の額縁にマグネットと薄鋼板を介して直接取付けることにより室内からの放熱量の低減および結露を防止する省エネ額縁付シートに関するものである。
【背景技術】
【０００２】
室内からの放熱量削減のための日照調整断熱フィルムやペアガラスを使用することにより家庭や商業ビルにおける冷暖房機の省エネ対策が実施されてはいるが、未だ充分に普及していないのは効果に対するコストのバランスが十分でないからと考えられる。
【考案の開示】
【考案が解決しようとする課題】
【０００３】
ガラス窓やガラス戸に断熱シートを貼ったりペアガラスにしたりの対策がなされているが断熱効果に対するコストが割高なために寒冷地を除いて一般に普及していないのが実情であり、安価で取り扱いやすい冷暖房用省エネ器具の実用化が待たれている。
【課題を解決するための手段】
【０００４】
この課題を解決するための本考案は、額縁の片面にプラスチックシート実質的には透明アクリルシートを貼り付け、裏面には断熱空気層を保持するための柔軟性のあるシール材たとえばゴム製のパッキンを貼り付けた省エネ額縁付プラスチックシートであってマグネットによりガラス窓あるいはガラス戸に取付けることにより室内からの放熱量の低減および結露防止を図る。
【考案の効果】
【０００５】
本考案により、既存のガラス窓およびガラスドアに容易に取付けることが出来、しかも額縁に軽くて安価な材料例えば木材などを使用することにより製造が簡単で製造コストの低減が可能となる。
【考案を実施するための最良の形態】
【０００６】
本考案に係わる省エネ額縁付プラスチックシート１０は、図１に示す通り額縁１の片面にプラスチックシート２を接着剤で貼り付け裏面全周に中空ゴムパッキン３を貼り付けると共にマグネット４によりガラス窓やガラス戸に取付ける。
ガラス窓やガラス戸の額縁がアルミなどの非磁性体の場合は当該額縁に薄鋼板を貼り付けて対応する。
【産業上の利用可能性】
【０００７】
変形のない安価な材料を使った額縁の片面に、プラスチックシートを貼り付け反対面には柔軟性があり変形して密着できるシールパッキンを額縁全周に貼り付け、マグネットを介してガラス窓やガラス戸に取付けることによりあらゆるガラス窓、ガラス戸からの冷暖房時の放出熱量の低減を図ることが可能となる。
【図面の簡単な説明】
【０００８】
【図１】本考案に係わる省エネ額縁付プラスチックシートの全体図である。
【符号の説明】
【０００９】
１  額縁
２  透明塩ビシート
３  中空ゴムパッキン
４  磁石
１０  省エネ額縁付プラスチックシート
【図１】
0003120527.tif 000003
(57)【要約】【課題】人々の持ち歩きが可能であり、従って、常日頃から手元で、観葉植物を見ることにより、元気を与えることができ、しかも、植物も簡単な管理で枯れることのないミニ観葉植物携帯容器を開発・提供するものである。【解決手段】一部あるいは全部が透明な合成樹脂シートで形成した四面体状の容器本体１内に、土がなくても育ち、乾燥に強いチランジア等の植物２や、根元に保水剤３を装着した植物２ａを入れて植物の携帯を可能とし、キーホルダーや携帯電話のストラップ、イヤリングにも利用できることを特徴とするミニ観葉植物の携帯容器である。【選択図】        図１
0003120389.tif 000002
【実用新案登録請求の範囲】
【請求項１】
一部、あるいは全部が透明な合成樹脂シートで形成した四面体、あるいは球状体の容器本体（１）を形成し、該容器本体（１）内に、土がなくても育ち、乾燥に強いチランジア等の植物（２）や、根元に保水剤（３）を装着した植物（２ａ）を入れたことを特徴とするミニ観葉植物の携帯容器。
【考案の詳細な説明】
【技術分野】
【０００１】
この考案は、ミニ観葉植物携帯容器に関するものである。
【背景技術】
【０００２】
従来、観葉植物の葉は、我々、人々の目に触れた場合、非常に元気を与えられるものであり、目に和むものである。
【０００３】
しかし、その観葉植物の鉢は、大きく、しかも、場所を占めるため、通常、持ち歩くことはとても困難であり、また、乗用車の中にも置くことは無理であった。
【０００４】
こうしたなかで、本出願人は、省スペースで設置可能なミニ観葉植物及び保持台を提案してきたが（例えば、特許文献１を参照）、携帯可能な容器に収容し、小物や身飾り品等として多目的使用可能に観賞性や装飾性を高めたものが期待される。
【特許文献１】登録実用新案公報第３０９３１６５号公報
【考案の開示】
【考案が解決しようとする課題】
【０００５】
そこで、この考案は、上記の欠点を除去し、人々の持ち歩きが可能であり、従って、常日頃から手元で、観葉植物を見ることにより、元気を与えることができ、しかも、植物も簡単な管理で枯れ難いミニ観葉植物携帯容器を開発・提供するものである。
【課題を解決するための手段】
【０００６】
この考案は、透明な合成樹脂シートで形成した四面体状の容器本体内に、土がなくても育ち、乾燥に強いチランジア等の植物や、根元に保水剤を装着した植物を入れて植物の携帯を可能とし、キーホルダーや携帯電話のストラップ、イヤリングにも利用できるものである。
【考案の効果】
【０００７】
本考案によると、ミニ観葉植物（２）は、一部あるいは全部が透明な合成樹脂シートで形成した四面体の容器本体（１）内に、収納されており、外部より、見やすく、また、容器の中に収納されているため、植物は保護され、しかも、携帯でき、植物を身近に持つことができ、その植物を見ることにより、元気を与えられ、キーホルダーや携帯電話のストラップ、イヤリングにも利用でき、マスコットとして機能する等極めて有益なる効果を奏するものである。
【考案を実施するための最良の形態】
【０００８】
この考案は、一部あるいは全部が透明な合成樹脂シートで形成した四面体状の容器本体（１）内に、土がなくても育ち、乾燥に強いチランジア等の植物（２）や、根元に保水剤（３）を装着した植物（２ａ）を入れて植物を常に携帯することが可能であり、キーホルダーや携帯電話のストラップ、イヤリングにも利用できることを特徴とするミニ観葉植物の携帯容器である。
【実施例】
【０００９】
次に、この考案の一実施例を図面に従って詳述すると、一部、あるいは全部が透明な合成樹脂シートで形成した四面体の容器本体（１）を形成し、該容器本体（１）内に、土がなくても育ち、乾燥に強いチランジア等の植物（２）や、根元に保水剤（３）を装着した植物（２ａ）を入れたことを特徴とするミニ観葉植物の携帯容器から構成される。
【００１０】
尚、四面体の容器本体（１）とは、具体的には、牛乳等を入れたテトラパック（登録商標）のような容器であり、一部には開口部（６）が形成されており、必要に応じて、ストローや霧吹きのノズルを挿入して水を与えることができる。また、容器本体（１）は、図示はしないが、球状体に形成してもよいものである。
【００１１】
また、容器本体（１）には、ストラップ（４）や、留め具（５）を設けて、キーホルダー（Ａ）や携帯電話（Ｂ）のストラップとし、また、イヤリング（Ｃ）としても利用できるものである。
【産業上の利用可能性】
【００１２】
この考案は、この製造技術を確立し、かつこれらの材料を使用することにより、産業上の利用可能性を有する。
【図面の簡単な説明】
【００１３】
【図１】この考案の一実施例を示す側面図である。
【図２】この考案の一実施例を示す斜視図である。
【図３】この考案の一実施例を示す植物の斜視図である。
【図４】この考案の使用状態を示す説明図である。
【図５】この考案の使用状態を示す説明図である。
【図６】この考案の使用状態を示す説明図である。
【符号の説明】
【００１４】
１  四面体の容器本体
２  乾燥に強いチランジア等の植物
３  保水剤
２ａ  植物
４  ストラップ
５  留め具
６  開口部
Ａ  キーホルダー
Ｂ  携帯電話
Ｃ  イヤリング
【図１】
0003120389.tif 000003
【図２】
0003120389.tif 000004
【図３】
0003120389.tif 000005
【図４】
0003120389.tif 000006
【図５】
0003120389.tif 000007
【図６】
0003120389.tif 000008
(57)【要約】      （修正有）【課題】額縁類自体にこれ迄にない興趣の装飾性を付与して豪華、高級な雰囲気を醸し出すよう演出することのできる新規な額縁を提供する。【解決手段】絵画、写真等を掲示するために使用される額縁、壁掛け時計、壁掛け鏡等においての装飾用の額縁状フレーム等これら額縁類において、額縁類主体の表面に、花鳥風月、自動車、紋章、その他任意の絵画、文様を基材上に色糸で縫い表してなる刺繍シートを接着固定した。【選択図】図１
0003120308.tif 000002
【実用新案登録請求の範囲】
【請求項１】
絵画、写真等を掲示するために使用される額縁、壁掛け時計、壁掛け鏡等においての装飾用の額縁状フレーム等これら額縁類において、額縁類主体の表面に、花鳥風月、自動車、紋章、その他任意の絵画、文様を基材上に色糸で縫い表してなる刺繍シートを接着固定したことを特徴とする額縁、額縁フレーム等の額縁類。
【考案の詳細な説明】
【技術分野】
【０００１】
本考案は、絵画、写真等を掲示するために使用される額縁や、壁掛け時計、壁掛け鏡等においての装飾用の額縁状フレーム等これら額縁類に関するものである。
【背景技術】
【０００２】
従来、絵画、写真等を掲示するために使用される額縁や、壁掛け時計、壁掛け鏡等においての装飾用の額縁状フレーム等これら額縁類にあっては、それ自体の表面外観は一般にシンプルに画一的に定型化されている傾向にあって、装飾性、変化性に乏しく、豪華、高級な雰囲気を醸し出すように演出することはきわめて困難であった。
【特許文献１】実開平６−８１３６５号
【考案の開示】
【考案が解決しようとする課題】
【０００３】
本考案は、如上の問題を解消すべく案出したものであって、額縁類自体にこれ迄にない興趣の装飾性を付与して豪華、高級な雰囲気を醸し出すよう演出することのできる新規な額縁類を提供することを目的とするものである。
【課題を解決するための手段】
【０００４】
本考案に係る額縁、額縁フレーム等の額縁類は、絵画、写真等を掲示するために使用される額縁や、壁掛け時計、壁掛け鏡等においての装飾用の額縁状フレーム等これら額縁類において、額縁類主体の表面に、花鳥風月、自動車、紋章、その他任意の絵画、文様を基材上に色糸で縫い表してなる刺繍シートを接着固定したことを最も主要な特徴とするものである。
【考案の効果】
【０００５】
本考案に係る額縁、額縁フレーム等の額縁類は、額縁類主体の表面上任意箇所に刺繍で成形された絵画、文様を顕出させるものであることから、額縁類それ自体をもって看者に刺繍の持つ独特の風合い、興趣を直接的に感得させて、豪華、高級な雰囲気を醸し出すよう演出することができるという利点がある。
【考案を実施するための最良の形態】
【０００６】
本考案は、豪華、高級な雰囲気を醸し出すよう演出することのできる額縁類を提供するという目的を、額縁類主体の表面上に、別途に製作用意してなる任意の絵画、文様を色糸をもって基材上に縫い表してなる刺繍シートを接着固定することで構造簡単に実現し得て、市場に廉価に提供できる。
【実施例】
【０００７】
以下に、本考案を図示する実施例に基づいて説明するに、図１は本考案額縁類の一実施例を示す正面図、図２は本考案額縁類の他の実施例を示す部分正面図であって、１は額縁類における枠体、２は刺繍シートである。
【０００８】
絵画、写真等を掲示するために使用される額縁や、壁掛け時計、壁掛け鏡等においての装飾用の額縁状フレーム等これら額縁類を構成する枠体（フレーム）１の帯状板の表面上における任意箇所に刺繍シート２を接着固定している。
【０００９】
該刺繍シート２は、絵画、文様を色糸で基材上に縫い表してシート状に成形してなるものであって、その絵画、文様は、花鳥風月をはじめとして、自動車、紋章等任意の形態であってよく、特に限定するものではない。
【００１０】
本考案により額縁類における枠体１の帯状板の表面上に刺繍で成形された絵画、文様を顕出させることによって、額縁類自体に刺繍の持つ独特の風合い、興趣を直接的に感得させ得る豪華、高級な雰囲気を醸し出すよう演出することができる。
【００１１】
また、本考案は、既製一般の額縁類に対しても所謂後付けでもって実施することができることから、新規製作のみならず現在既に使用中の額縁類を含めて如何なる額縁類に対しても応用、実施することが可能であり、額縁類の利用幅を拡大することができる。
【図面の簡単な説明】
【００１２】
【図１】本考案の実施例を示した正面図である。
【図２】本考案の他の実施例を示した部分正面図である。
【符号の説明】
【００１３】
１    枠体
２    刺繍シート
【図１】
0003120308.tif 000003
【図２】
0003120308.tif 000004